(57)【要約】転写ステーションにおける望ましくないトナー転写を最小限に抑えるための方法および装置では、転写ステーションの継続的な運転中の記録担体が接触しない時点で感光性の媒体から、静電的な力によって搬送ベルトに保持される記録担体への転写による望ましくないトナー粒子が、トナー画像の電位と逆の転写電位によって生ぜしめられる静電的な力によって感光性の媒体から搬送ベルトに転写されることが阻止されることが望ましい。
2006501491.tif 000002
【特許請求の範囲】
【請求項１】
電子記録式の印刷機器（２１）の転写ステーション（３，３ａ，３ｂ）を運転するための方法において、この場合、転写ステーション（３，３ａ，３ｂ）が、感光性の媒体（５）と、搬送ベルト（４）とを有しており、感光性の媒体（５）に連続的にトナー画像を、電位によって生ぜしめられる静電的な力によって付着させ、搬送ベルト（４）に、感光性の媒体（５）から、互いに後続のシート状の記録担体（１，１ａ，１ｂ）へのトナー画像の転写の目的のために、それぞれ印刷したい記録担体（１，１ａ，１ｂ）を静電的な力によって保持し、転写を、転写したいトナー画像の電位と逆の転写電位によって生ぜしめられる静電的な力によって行い、この場合、連続する２つの記録担体（１，１ａ，１ｂ）の間に位置する中間スペース（ａ，ギャップ）が感光性の媒体（５）を通過する間、転写電位を減少させ、この場合、中間スペース（ａ，ギャップ）で感光性の媒体（５）にトナーマークを形成することを特徴とする、電子記録式の印刷機器の転写ステーションを運転するための方法。
【請求項２】
制御装置（１８）を使用し、該制御装置（１８）が、電子記録式の記録プロセスの画像列から、どの時点で記録担体（１，１ａ，１ｂ）が感光性の媒体（５）に接触しないのかを導出し、この場合、転写電位の減少を生ぜしめる、請求項１記載の方法。
【請求項３】
搬送ベルト（４）が、１０１０Ωｃｍよりも大きな電気的な体積抵抗を有しており、これによって、転写電位が、記録担体（１，１ａ，１ｂ）を保持するための静電的な力も生ぜしめる、請求項１または２記載の方法。
【請求項４】
感光性の媒体（５）にクリーニングステーション（９）が設けられており、該クリーニングステーション（９）が、転写されない残留トナーをクリーニング除去する、請求項１から３までのいずれか１項記載の方法。
【請求項５】
クリーニングステーション（９）が、交流で負荷される放電装置（９ａ）および／または機械的に接触するクリーニングエレメント（１１）を有しており、該クリーニングエレメント（１１）が、感光性の媒体に常に接触している、請求項４記載の方法。
【請求項６】
機械的に接触するクリーニングエレメント（１１）がゴムリップである、請求項５記載の方法。
【請求項７】
クリーニングステーション（９）が、残留トナー容器（１２，１４）を有しており、該残留トナー容器（１２，１４）が、感光性の媒体（５）からクリーニング除去されたトナー粒子を収容し、トナー量センサ（１５）が設けられており、残留トナー容器（１４）内に、設定された量のトナー粒子が達成される場合にトナー量センサ（１５）が、「満」信号を送出する、請求項５または６記載の方法。
【請求項８】
圧送装置（１３）が設けられており、該圧送装置（１３）によって、クリーニング除去されたトナー粒子を残留トナー容器（１４）内に搬送する、請求項７記載の方法。
【請求項９】
搬送ベルト（４）に設けられたクリーニング装置（１６）によって連続的に残留トナーを搬送ベルト（４）から機械的に剥離し、該搬送ベルト（４）に対応配置された残留トナー容器（１７）内に落下させる、請求項１から８までのいずれか１項記載の方法。
【請求項１０】
搬送ベルト（４）に設けられたクリーニング装置（１６）が、フレキシブルなブレードまたは剛性的なセラミックスブレード（１６）を有している、請求項９記載の方法。
【請求項１１】
トナー量センサ（１５）の「満」信号の送出後、感光性の媒体のクリーニングステーションの残留トナー容器（１４）だけでなく、搬送ベルトの残留トナー容器（１７）も空にするかまたは空の容器と交換する、請求項７から１０までのいずれか１項記載の方法。
【請求項１２】
感光性の媒体（５）として、回転させられる感光体ドラムを使用し、該感光体ドラムの周速度が、転写時に搬送ベルト（４）の搬送速度と同じである、請求項１から１１までのいずれか１項記載の方法。
【請求項１３】
電子記録式の印刷機器（２１）に用いられる転写ステーション（３，３ａ，３ｂ）において、感光性の媒体（５）と、搬送ベルト（４）とが設けられており、感光性の媒体（５）にトナー画像が、電位によって生ぜしめられる静電的な力によって付着するようになっており、搬送ベルト（４）に、感光性の媒体（５）から、互いに後続のシート状の記録担体（１，１ａ，１ｂ）へのトナー画像の転写の目的のために、記録担体（１，１ａ，１ｂ）が、静電的な力によって保持されるようになっており、転写が、トナー画像の電位と逆の転写電位によって生ぜしめられる静電的な力によって行われるようになっており、制御装置（１８）が設けられており、該制御装置（１８）によって、連続する記録担体（１，１ａ，１ｂ）の間に位置する中間スペース（ギャップ）が感光性の媒体を通過する間、転写電位が遮断可能であることを特徴とする、電子記録式の印刷機器に用いられる転写ステーション。
【請求項１４】
制御装置（１８）が、電子記録式の記録プロセスの画像列から、どの時点で記録担体（１，１ａ，１ｂ）が感光性の媒体（５）に接触しないのかを導出するようになっていて、この場合、転写電位の減少を生ぜしめるようになっている、請求項１３記載の転写ステーション。
【請求項１５】
搬送ベルト（４）が、１０１０Ωｃｍよりも大きな電気的な体積抵抗を有しており、これによって、転写電位が、記録担体（１，１ａ，１ｂ）を保持するための静電的な力も生ぜしめるようになっている、請求項１３または１４記載の転写ステーション。
【請求項１６】
感光性の媒体（５）にクリーニングステーション（９）が設けられており、該クリーニングステーション（９）が、転写されない残留トナーをクリーニング除去するようになっている、請求項１３から１５までのいずれか１項記載の転写ステーション。
【請求項１７】
クリーニングステーション（９）が、交流で負荷される放電装置（９ａ）および／または機械的に接触するクリーニングエレメント（１１）を有しており、該クリーニングエレメント（１１）が、感光性の媒体に常に接触している、請求項１６記載の転写ステーション。
【請求項１８】
機械的に接触するクリーニングエレメント（１１）がゴムリップである、請求項１７記載の転写ステーション。
【請求項１９】
クリーニングステーション（９）が、残留トナー容器（１２，１４）を有しており、該残留トナー容器（１２，１４）が、感光性の媒体（５）からクリーニング除去されたトナー粒子を収容するようになっており、トナー量センサ（１５）が設けられており、残留トナー容器（１４）内に、設定された量のトナー粒子が達成される場合にトナー量センサ（１５）が、「満」信号を送出するようになっている、請求項１７または１８記載の転写ステーション。
【請求項２０】
圧送装置（１３）が設けられており、該圧送装置（１３）によって、クリーニング除去されたトナー粒子が、残留トナー容器（１４）内に搬送されるようになっている、請求項１９記載の転写ステーション。
【請求項２１】
搬送ベルト（４）に設けられたクリーニング装置（１６）によって連続的に残留トナーが、搬送ベルト（４）から機械的に剥離されるようになっていて、該搬送ベルト（４）に対応配置された残留トナー容器（１７）内に落下するようになっている、請求項１３から２０までのいずれか１項記載の転写ステーション。
【請求項２２】
搬送ベルト（４）に設けられたクリーニング装置（１６）が、フレキシブルな金属ブレードまたはプラスチックブレードまたは剛性的なセラミックスブレード（１６）を有している、請求項２１記載の転写ステーション。
【請求項２３】
トナー量センサ（１５）の「満」信号の送出後、感光性の媒体のクリーニングステーションの残留トナー容器（１４）だけでなく、搬送ベルトの残留トナー容器（１７）も空にされるようになっているかまたは空の容器と交換されるようになっているように、両残留トナー容器（１４，１７）が形成されている、請求項１９から２２までのいずれか１項記載の転写ステーション。
【請求項２４】
感光性の媒体（５）として、回転させられる感光体ドラムが使用されるようになっており、該感光体ドラムの周速度が、転写時に搬送ベルト（４）の搬送速度と同じである、請求項１３から２３までのいずれか１項記載の転写ステーション。
【発明の詳細な説明】
【技術分野】
【０００１】
本発明は、情報を電子記録式の印刷装置によって印刷するための方法ならびに装置に関する。このような形式の印刷機器は多数の形で、たとえば電子写真式の印刷機器、イオノグラフィ式の印刷機器またはマグネトグラフィ式の印刷機器としても知られている。この場合、中間画像担体にまず潜在的な画像（潜像）を形成し、この画像を適切な色材、特にトナーによって着色し、こうして形成された画像を記録担体に転写するために、それぞれ種々異なる物理的な効果が使用される。
【０００２】
可変のデータのためのこのような形式のデジタル式の印刷法は、たとえば出版物「Ｄａｓ  Ｄｒｕｃｋｅｒｂｕｃｈ，  Ｔｅｃｈｎｉｋ  ｕｎｄ  Ｔｅｃｈｎｏｌｏｇｉｅｎ  ｄｅｒ  Ｏｃｅ−Ｄｒｕｃｋｓｙｓｔｅｍ，  Ｄｒｕｃｋｔｅｃｈｎｏｌｏｇｉｅｎ，  Ｏｃｅ  Ｐｒｉｎｔｉｎｇ  Ｓｙｓｔｅｍｓ  ＧｍｂＨ」（第６版（２００１年５月），  ＩＳＢＭ  ３−００−００１０１９−Ｘ，  第９章，  第３段落（第９−２１頁〜第９−３６頁））に記載されている。
【０００３】
シート状の記録担体に印刷するためには、アメリカ合衆国特許第６０４４２４４号明細書に基づき、記録担体をその都度搬送ベルトに案内して中間画像担体を通過させることが公知である。この場合、搬送ベルトによって、シート状の記録担体は、搬送ベルトに付着しているので目標搬送路にとどまり、中間画像担体に静電的に付着し続けない。これによって、ペーパ滞留を回避することができる。
【０００４】
シート状の記録担体のためのこのような形式の搬送ベルトを有する転写装置では、トナー粒子が中間画像担体から搬送ベルトに転写されることが分かった。搬送ベルトへのこのような形式の望ましくないトナー転写に対する原因は、たとえば、転写したい画像が記録担体の寸法よりも大きい場合の印刷画像はみ出しであり得る。中間画像担体の縁領域または連続する記録担体の間の空所に生ぜしめられる中間スペース（いわゆる「ギャップ」）におけるトナーマークも搬送ベルトへのこのような望ましくないトナー転写を生ぜしめ得る。国際公開第９９／３６８３４号パンフレットに基づき、トナーマークに基づき作業する、現像器ステーションのための調整法が公知である。
【０００５】
搬送ベルトへのトナーの望ましくない転写に対するさらなる原因は、規定されずに帯電させられた、中間画像担体の、着色された画像に位置するトナー粒子（背景）ならびに転写効率ΠＴｒａｎｓｆｅｒに関連して転写されないトナー画像領域である。
【０００６】
特開２００２−１６９３８５号公報に基づき、多数の転写ステーションと、記録担体を搬送するための１つの搬送ベルトとを備えた電子記録式の印刷機器が公知である。特開２０００−１８１３１２号公報および特開平１１２６５０９０号公報に基づき、残留トナーのための容器を備えた電子記録式の印刷機器が公知である。
【０００７】
ヨーロッパ特許出願公開第０３３９６７３号明細書に基づき、電子記録式の印刷機器の転写ステーションを運転するための方法が公知である。この方法では、ペーパが転写ステーションを通走しない場合に、転写電位が転写ステーションの領域で減少させられる。
【０００８】
本発明の課題は、電子記録式の印刷機器のための方法および装置を改良して、シート状の記録担体が搬送ベルトによって感光性の媒体を通過する、トナー画像の転写の目的のための転写ステーションにおける望ましくないトナー転写が回避されるようにすることである。
【０００９】
この課題は、独立請求項に記載した本発明によって解決される。本発明の有利な実施態様および構成は従属請求項の対象である。
【００１０】
本発明による転写ステーションは、感光性の媒体と、搬送ベルトとを有している。感光性の媒体には、トナー画像が、電位によって生ぜしめられる静電的な力によって付着する。搬送ベルトには、感光性の媒体からシート状の記録担体へのトナー画像の転写の目的のために、記録担体が静電的な力によって保持される。この場合、転写は、トナー画像の電位と逆の転写電位によって生ぜしめられる静電的な力によって行われる。２つの記録担体の間に位置する中間スペースが感光性の媒体を通過する間、転写電位が減少させられる。この転写電位の一時的な減少によって、中間スペースで感光性の媒体にトナーマークを形成することが可能となる。この場合、このトナーマークは搬送ベルトにほんの僅かしか転写されない。このような形式のトナーマークは、電子記録式のパラメータを規則的に後調整するために役立つものの、可能な限り記録担体に転写されないことも望まれる。本発明によって、トナーマークを、一方では有能に、すなわち、印刷速度を低下させることなしに使用することができ、他方ではトナーマークの、障害となる転写を回避する解決手段が提供される。
【００１１】
さらに、本発明によって、記録担体が感光性の媒体に接触しない、転写ステーションの運転の時点で、望ましくないトナー粒子が感光性の媒体から搬送ベルトに転写されることを阻止することができる。この効果は、印刷機器の継続的な運転中に、連続する記録担体がある程度の間隔もしくは中間スペースを置いて転写ステーションに走入する場合に特に有利に使用することができる。中間スペースが感光性の媒体を通過し、したがって、搬送ベルトが幅面にわたって感光性の媒体に接触する時間の間の転写コロトロンの遮断によって、トナー粒子が感光性の媒体から搬送ベルトに全く転写されないかまたはほんの僅かしか転写されない。特に機械的に生ぜしめられる転写に対して付加的にトナーが転写電位によって搬送ベルトに到達することが阻止される。
【００１２】
本発明の有利な実施態様では、制御装置を使用し、該制御装置が、電子記録式の記録プロセスの画像列から、どの時点で記録担体が感光性の媒体に接触しないのかを導出し、この場合、転写電位の減少を生ぜしめる。搬送ベルトが、特に１０１０Ωｃｍよりも大きな電気的な体積抵抗を有しており、これによって、転写電位が、記録担体を保持するための静電的な力も生ぜしめる。感光性の媒体だけでなく、搬送ベルトもクリーニングステーションを備えていてよい。このクリーニングステーションは、まだ各エレメントに位置するトナー粒子の連続的なクリーニングを生ぜしめる。さらに、クリーニングステーションは機械的に常に接触する手段を有している。この手段によってトナー粒子が掻き取られる。この場合、引掻き傷に対して敏感な感光性の媒体をクリーニングするために、有利には、より軟質の材料、たとえばゴムまたは軟質のプラスチックが設けられているのに対して、より頑丈な搬送ベルトをクリーニングするためには、より硬質の材料、たとえば金属、硬質プラスチックまたはセラミックスおよび特にポリイミドを使用することができる。この場合、両クリーニングステーションに設けられた残留トナー容器は、特に両クリーニングステーションにおける残留トナー量の平均的な発生時にほぼ同時に満タンになるように設計されている。この事例では、一方の容器にだけ充填レベルセンサが配置されていれば十分である。この充填レベルセンサによって機器のオペレータに、いつ残留トナー容器を空にするのかもしくは空の容器と交換しなければならないのかが表示される。
【００１３】
したがって、本発明によって、電子記録式の機器における残留トナーの発生を、規定された後続処理通路に適切に案内することができる装置が提供される。これによって、残留トナー容器のための構成スペースが十分に提供された適切な箇所に古いトナーを搬送する、残留トナーを導出するための装置が設けられており、かつ／または容器が外部から容易に接近可能であることにより、特にコンパクトな構成を実現することができる。本発明によって、特に記録担体搬送ベルトの狭められた構成スペースでほとんど残留トナーを処理する必要がなく、比較的大きな構成スペース、たとえば感光体ドラムのクリーニングステーションで比較的多くの残留トナーを処理することが可能となる。
【００１４】
本発明のさらなる利点および作用は、図面につき説明する以下の実施例につき明らかになる。
【００１５】
図１には、電子写真式の印刷機器２１が示してある。この印刷機器２１では、ペーパから成るシート状の個々の記録担体にペーパ送入部から第１の印刷機構２４および／または第２の印刷機構２５で印刷することができ、その後、記録担体をペーパ送出部２６に送出コンパートメントでの保管および／または後続のペーパシート処理機器での後続処理のために搬送することができる。この場合、各印刷機構２４，２５は転写ステーション３ａ；３ｂを有している。この転写ステーション３ａ；３ｂでは、感光体ドラムに堆積させられたトナー画像がペーパシートに転写される。種々異なるペーパの可能な限り大きな多様性を同時に蓄えて保持するためには、印刷機器２１が第２のペーパ送入部２３を有している。この第２のペーパ送入部２３はその機械的なかつ電気的な構造に関して十分にペーパ送入部２２に相当していて、ペーパシートをペーパ送入部２２を通して一方のもしくは両方の印刷機構２４，２５に印刷のために引き渡すことができる。
【００１６】
図２には、転写ステーション３が幾分詳細に示してある。この場合、ペーパシート１が搬送ローラ２を介してペーパ搬送ベルト４に供給される。このペーパ搬送ベルト４は転写帯電ステーション８によって２〜５ＫＶの高い電位に帯電させられている。これによって、ペーパシート１が静電的にペーパ搬送ベルト４に付着する。このペーパ搬送ベルト４はペーパシート１を方向Ａに搬送する。この場合、ペーパシート１は角セグメントα、いわゆる「ニップ角」の内部で感光体ドラム５に巻き掛かっている。さらに、この感光体ドラム５は方向Ｂにペーパシート１もしくは搬送ベルト４と同じ速度で運動させられる。転写帯電ステーション８によって、ペーパ搬送ベルト４の下面が、感光体ドラム５上の帯電させられたトナー画像に対して対極性の電荷で負荷される。形成された高オーム（＞１０１０Ωｃｍ）のペーパ搬送ベルト４は電荷エネルギをコンデンサに類似して蓄え、帯電させられた感光体ドラム５に対して、高い対向電位を成している。これによって、一方では、感光体ドラム５からペーパシートへのトナー転写が生ぜしめられ、他方では、ペーパ搬送ベルト４上のペーパシート１の、時間ｔにわたって減少する付着力が生ぜしめられる。ニップ領域から離れた後もペーパシート１はまだペーパ搬送ベルト４に付着している。このペーパ搬送ベルト４が巻き掛かっている駆動されるローラ４ａでペーパシート１は、ローラ４ａの比較的小さな半径（１１ｍｍ）と剥取り金属薄板４ｃの作用とに基づきペーパ搬送ベルト４から解離され、定着装置１０に供給される。この定着装置１０でトナー画像がペーパシート１に熱・圧力作用によって定着させられる。
【００１７】
テンションローラ４ｂによって、ペーパ搬送ベルト４は常に張力で保持され、ニップ領域において張力下で感光体ドラム５に押圧される。
【００１８】
感光体ドラム５には、静電的に保持されるトナー画像が以下のように形成される：まず、感光体ドラム５が帯電ステーション６によって高い電圧に帯電させられる。その後、露光ステーション７で点的に、たとえばＬＥＤアレイまたはレーザによって情報が付与され、これによって、点的に放電ゾーンが感光体ドラム５に提供される。その後、帯電ゾーンにトナーが堆積させられる。このトナーは現像器ステーション２９に蓄えられ、感光体ドラム５への堆積のために調整される。
【００１９】
転写過程の経過において、残留トナーが感光体ドラム５に付着し続けることを実際に回避することはできない。この感光体ドラム上の残留トナーの量は、ΠＴｒａｎｓｆｅｒ＜１を備えた、いわゆる「転写効率ΠＴｒａｎｓｆｅｒ」に関連している。したがって、感光体５上の全ての残留トナーは、以下のベース：すなわち、
感光体上の残留トナー＝１−ΠＴｒａｎｓｆｅｒ（画像情報＋トナーマーク＋背景）
で生ぜしめられる。
【００２０】
ペーパ搬送ベルトには、画像情報が記録担体寸法の外部にあるかまたは連続する記録担体の間の中間スペースへのトナーマーキングで感光体ドラムに形成された事例でしかトナーは転写されない。したがって、ペーパ搬送ベルト上の残留トナーは：
ΠＴｒａｎｓｆｅｒ（記録担体寸法の外部の画像情報および背景＋トナーマーク）
で生ぜしめられる。
【００２１】
図３には、どのようにして残留トナーが感光体ドラム５から除去されるのかが示してある。このためには、感光体クリーニングステーション９が、交流（ＡＣ）によって運転したいコロナ９ａを有している。このコロナ９ａによって、転写過程後にまだ感光体ドラム５に位置する正に帯電させられた残留トナーが電気的に中性化される。これによって、トナーと感光体層との間の静電的な付着力が最小限に抑えられる。放電されたトナーは、擦過するように配置されたゴムリップ１１によって感光体ドラム５から掻き取られ、捕集容器１２内に捕集され、次いで、圧送装置１３によって、外部から容易に接近可能な、転写ユニットの外部の残留トナー容器１４内に搬送される。残留トナー容器１４の充填レベルは充填レベルセンサ１５によって監視される。容器のある程度の充填レベル以降、オペレータに印刷器コントロールパネルを介して、容器を交換することが要求される。このことが、規定された時間内で実施されない場合には、容器の過充填を回避するために、印刷プロセスが自動的に停止する。
【００２２】
感光体ドラム５からペーパ搬送ベルト４に転写される万が一の残留トナーは、ペーパ搬送ベルト４に掻き取るように配置されたフレキシブルな金属ブレードまたはプラスチックブレード１６または剛性的なセラミックスブレードによってクリーニング除去される。この場合、このブレード１６は第２の残留トナー容器１７のすぐ上方に配置されているので、掻き取られたトナー粒子は直接残留トナー容器１７内に落下する。この残留トナー容器が満タンである場合には、この残留トナー容器も空にされなければならないかまたは空の容器と交換されなければならない。残留トナー容器１７の充填レベルが監視されない場合には、容器の交換が、感光体クリーニングステーション９の残留トナー容器１４と同期的に行われることが望ましい。残留トナー容器１７の過充填を回避するためには、この容器の最大の充填量が、感光体クリーニングステーション９における監視されている残留トナー容器１４の最大の充填量を上回らない程度に大きく残留トナー容器１７の容積が選択されなければならない。このことは、比較的大きな容積を要求する。このことは、著しい構成スペースをペーパ搬送ベルトの領域に要求し、印刷システムのコンパクトな構造ではほとんど実現することができない。第２の残留トナー容器１７をサイドメータに関連して交換することが提案されていてもよい。しかし、これによって、容器が比較的頻繁に交換されなければならないことが生ぜしめられ得る。このことは、一方では、消費コストを高め、他方では、オペレータの、形成された介入を要求し、したがって、印刷生産環境で許容することができない一層頻繁な印刷中断を生ぜしめる。
【００２３】
ベルトクリーニングの残留トナー容器１７の経済的な交換サイクルを僅かな充填容積ひいては僅かなスペース要求で達成するためには、ペーパ搬送ベルト上の残留トナー量が減少させられる。このペーパ搬送ベルトでは、印刷したい個々の頁の中間スペース（ギャップ）において、帯電ステーションにおける転写帯電のための電流が遮断される。図４および図５には、どのようにしてこのことを実現することができるのかが示してある。このためには、制御装置１８がインタフェース２９を有している。このインタフェース２９を介して制御装置１８は、画像付与するユニット、たとえば露光ユニット７または前置された画像処理ユニットから、頁列を導出する情報を検出し、転写帯電ステーションに給電する給電部１９を有している。この場合、長さａにわたる連続する頁１ａ，１ｂの間隔の内部では、給電部が遮断され（図５参照）、印刷の間には給電部は接続される（図４参照）。
【００２４】
したがって、発生する残留トナー量の分配は転写電流の状態に関連している：ペーパシートの（走行方向での）寸法長さの内部には、接続された転写電流によって、転写効率ΠＴｒａｎｓｆｅｒがベルトに対する感光体上の残留トナー量の比率を規定している。これに対して、連続するペーパシートの間には、すなわち、ギャップが感光体ドラム５を通過する場合には、転写電流が遮断されて、トナー転写がペーパ搬送ベルト４と感光体ドラム５との間の面プレスに基づいてしか、すなわち、機械的な転写効率Πｍｅｃｈに関連してしか行われない。この転写効率ΠｍｅｃｈはΠｍｅｃｈ＜０．５を備えてΠＴｒａｎｓｆｅｒよりも著しく少なく設定されている。
【００２５】
この場合、両状態は以下のように合計される：
感光体上の残留トナー＝１−ΠＴｒａｎｓｆｅｒ（寸法線の最大の画像現像の内部の画像情報および背景）＋１−Πｍｅｃｈ（ギャップ内の画像情報および背景＋トナーマーク）。
【００２６】
ペーパ搬送ベルト上の残留トナー＝ΠＴｒａｎｓｆｅｒ（寸法幅の外部の画像情報および背景）＋Πｍｅｃｈ（ギャップ内の画像情報および背景＋トナーマーク）。
【００２７】
したがって、ギャップ内の転写電流遮断によって、発生するペーパ搬送ベルト４上の残留トナー量を著しく減少させることができる。前述した印刷システムでは、ベルトクリーニングの残留トナー容器１７の最大の容積を、感光体クリーニングの残留トナー容器に１：１の比率で適合させることができる。なぜならば、ベルト上の最大の残留トナー体積が感光体上の残留トナーの体積を上回らないからである。したがって、感光体クリーニングの残留トナー容器１４の充填レベルセンサ１５が供給するような情報をベルトクリーニングの残留トナー容器１７の交換のために使用することがもできる。この場合、両容器を同じ時点で交換しかつ処分することがオペレータに要求される。
【００２８】
本発明の実施例を説明した。この場合、当業者が常に専門的な能力の枠内で変更を提供することができることは明らかである。たとえば、感光性の媒体として、感光体ドラムの代わりに、ベルト状の感光性の媒体を提供することができる。この媒体は、有機的な感光体または無機的な感光体でコーティングされている。
【図面の簡単な説明】
【００２９】
【図１】電子写真式の機器を示す図である。
【００３０】
【図２】図１の機器に設けられた転写ステーション、現像器ステーションおよび定着ステーションを示す図である。
【００３１】
【図３】転写ステーションの領域に設けられたクリーニングステーションを示す図である。
【００３２】
【図４】記録担体が感光性の媒体に接触した運転状態における転写ステーションを示す図である。
【００３３】
【図５】記録担体が感光性の媒体に接触していない運転状態における転写ステーションを示す図である。
【符号の説明】
【００３４】
１  ペーパシート、  １ａ，１ｂ  頁、  ２  搬送ローラ、  ３，３ａ，３ｂ  転写ステーション、  ４  ペーパ搬送ベルト、  ４ａ  ローラ、  ４ｂ  テンションローラ、  ４ｃ  剥取り金属薄板、  ５  感光体ドラム、  ６  帯電ステーション、  ７  露光ステーション、  ８  転写帯電ステーション、  ９  感光体クリーニングステーション、  ９ａ  コロナ、  １０  定着装置、  １１  ゴムリップ、  １２  捕集容器、  １３  圧送装置、  １４  残留トナー容器、  １５  充填レベルセンサ、  １６  ブレード、  １７  残留トナー容器、  １８  制御装置、  １９  給電部、  ２１  印刷機器、  ２２  ペーパ送入部、  ２３  ペーパ送入部、  ２４  印刷機構、  ２５  印刷機構、  ２６  ペーパ送出部、  ２９  現像器ステーションまたはインタフェース、  Ａ  方向、  ａ  長さ、  Ｂ  方向、  α  角セグメント
【図１】
2006501491.tif 000003
【図２】
2006501491.tif 000004
【図３】
2006501491.tif 000005
【図４】
2006501491.tif 000006
【図５】
2006501491.tif 000007
【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
電子記録式の印刷機器（２１）の転写ステーション（３，３ａ，３ｂ）を運転するための方法において、この場合、転写ステーション（３，３ａ，３ｂ）が、感光性の媒体（５）と、搬送ベルト（４）とを有しており、感光性の媒体（５）に連続的にトナー画像を、電位によって生ぜしめられる静電的な力によって付着させ、搬送ベルト（４）に、感光性の媒体（５）から、互いに後続のシート状の記録担体（１，１ａ，１ｂ）へのトナー画像の転写の目的のために、それぞれ印刷したい記録担体（１，１ａ，１ｂ）を静電的な力によって保持し、転写を、転写したいトナー画像の電位と逆の転写電位によって生ぜしめられる静電的な力によって行い、この場合、連続する２つの記録担体（１，１ａ，１ｂ）の間に位置する中間スペース（ａ，ギャップ）が感光性の媒体（５）を通過する間、転写電位を減少させ、この場合、中間スペース（ａ，ギャップ）で感光性の媒体（５）にトナーマークを形成し、
この場合、感光性の媒体（５）にクリーニングステーション（９）が設けられており、該クリーニングステーション（９）が、転写されない残留トナーをクリーニング除去し、クリーニングステーション（９）が、残留トナー容器（１２，１４）を有しており、該残留トナー容器（１２，１４）が、感光性の媒体（５）からクリーニング除去されたトナー粒子を収容し、
この場合、搬送ベルト（４）に設けられたクリーニング装置（１６）によって連続的に残留トナーを搬送ベルト（４）から機械的に剥離し、該搬送ベルト（４）に対応配置された残留トナー容器（１７）内に落下させ、
この場合、両残留トナー容器（１２，１４；１７）の一方にしかトナー量センサ（１５）が配置されておらず、この場合、該トナー量センサ（１５）が「満」信号を送出する場合に両トナー容器を交換する要求をオペレータに報知することを特徴とする、電子記録式の印刷機器の転写ステーションを運転するための方法。
【請求項２】
制御装置（１８）を使用し、該制御装置（１８）が、電子記録式の記録プロセスの画像列から、どの時点で記録担体（１，１ａ，１ｂ）が感光性の媒体（５）に接触しないのかを導出し、この場合、転写電位の減少を生ぜしめる、請求項１記載の方法。
【請求項３】
搬送ベルト（４）が、１０１０Ωｃｍよりも大きな電気的な体積抵抗を有しており、これによって、転写電位が、記録担体（１，１ａ，１ｂ）を保持するための静電的な力も生ぜしめる、請求項１または２記載の方法。
【請求項４】
クリーニングステーション（９）が、交流で負荷される放電装置（９ａ）および／または機械的に接触するクリーニングエレメント（１１）を有しており、該クリーニングエレメント（１１）が、感光性の媒体に常に接触している、請求項１から３までのいずれか１項記載の方法。
【請求項５】
機械的に接触するクリーニングエレメント（１１）がゴムリップである、請求項４記載の方法。
【請求項６】
トナー量センサ（１５）が、クリーニングステーション（９）に設けられていて、残留トナー容器（１４）内に、設定された量のトナー粒子が達成される場合に「満」信号を送出する、請求項１から５までのいずれか１項記載の方法。
【請求項７】
圧送装置（１３）が設けられており、該圧送装置（１３）によって、クリーニング除去されたトナー粒子を残留トナー容器（１４）内に搬送する、請求項６記載の方法。
【請求項８】
搬送ベルト（４）に設けられたクリーニング装置（１６）が、フレキシブルなブレードまたは剛性的なセラミックスブレード（１６）を有している、請求項１から７までのいずれか１項記載の方法。
【請求項９】
トナー量センサ（１５）の「満」信号の送出後、感光性の媒体のクリーニングステーションの残留トナー容器（１４）だけでなく、搬送ベルトの残留トナー容器（１７）も空にするかまたは空の容器と交換する、請求項１から８までのいずれか１項記載の方法。
【請求項１０】
感光性の媒体（５）として、回転させられる感光体ドラムを使用し、該感光体ドラムの周速度が、転写時に搬送ベルト（４）の搬送速度と同じである、請求項１から９までのいずれか１項記載の方法。
【請求項１１】
電子記録式の印刷機器（２１）に用いられる転写ステーション（３，３ａ，３ｂ）において、感光性の媒体（５）と、搬送ベルト（４）とが設けられており、感光性の媒体（５）にトナー画像が、電位によって生ぜしめられる静電的な力によって付着するようになっており、搬送ベルト（４）に、感光性の媒体（５）から、互いに後続のシート状の記録担体（１，１ａ，１ｂ）へのトナー画像の転写の目的のために、記録担体（１，１ａ，１ｂ）が、静電的な力によって保持されるようになっており、転写が、トナー画像の電位と逆の転写電位によって生ぜしめられる静電的な力によって行われるようになっており、制御装置（１８）が設けられており、該制御装置（１８）によって、連続する記録担体（１，１ａ，１ｂ）の間に位置する中間スペース（ギャップ）が感光性の媒体を通過する間、転写電位が遮断可能であり、
感光性の媒体（５）にクリーニングステーション（９）が設けられており、該クリーニングステーション（９）が、転写されない残留トナーをクリーニング除去するようになっており、クリーニングステーション（９）が、残留トナー容器（１２，１４）を有しており、該残留トナー容器（１２，１４）が、感光性の媒体（５）からクリーニング除去されたトナー粒子を収容するようになっており、
搬送ベルト（４）に設けられたクリーニング装置（１６）によって連続的に残留トナーが、搬送ベルト（４）から機械的に剥離されるようになっていて、該搬送ベルト（４）に対応配置された残留トナー容器（１７）内に落下するようになっており、
両残留トナー容器（１２，１４；１７）の一方にしかトナー量センサ（１５）が配置されておらず、該トナー量センサ（１５）が「満」信号を送出する場合に両残留トナー容器を交換する要求が、オペレータに報知されるようになっていることを特徴とする、電子記録式の印刷機器に用いられる転写ステーション。
【請求項１２】
制御装置（１８）が、電子記録式の記録プロセスの画像列から、どの時点で記録担体（１，１ａ，１ｂ）が感光性の媒体（５）に接触しないのかを導出するようになっていて、この場合、転写電位の減少を生ぜしめるようになっている、請求項１１記載の転写ステーション。
【請求項１３】
搬送ベルト（４）が、１０１０Ωｃｍよりも大きな電気的な体積抵抗を有しており、これによって、転写電位が、記録担体（１，１ａ，１ｂ）を保持するための静電的な力も生ぜしめるようになっている、請求項１１または１２記載の転写ステーション。
【請求項１４】
クリーニングステーション（９）が、交流で負荷される放電装置（９ａ）および／または機械的に接触するクリーニングエレメント（１１）を有しており、該クリーニングエレメント（１１）が、感光性の媒体に常に接触している、請求項１１から１３までのいずれか１項記載の転写ステーション。
【請求項１５】
機械的に接触するクリーニングエレメント（１１）がゴムリップである、請求項１４記載の転写ステーション。
【請求項１６】
トナー量センサ（１５）が、クリーニングステーション（９）に設けられていて、残留トナー容器（１４）内に、設定された量のトナー粒子が達成される場合に「満」信号を送出するようになっている、請求項１１から１５までのいずれか１項記載の転写ステーション。
【請求項１７】
圧送装置（１３）が設けられており、該圧送装置（１３）によって、クリーニング除去されたトナー粒子が、残留トナー容器（１４）内に搬送されるようになっている、請求項１６記載の転写ステーション。
【請求項１８】
搬送ベルト（４）に設けられたクリーニング装置（１６）が、フレキシブルな金属ブレードまたはプラスチックブレードまたは剛性的なセラミックスブレード（１６）を有している、請求項１１から１７までのいずれか１項記載の転写ステーション。
【請求項１９】
トナー量センサ（１５）の「満」信号の送出後、感光性の媒体のクリーニングステーションの残留トナー容器（１４）だけでなく、搬送ベルトの残留トナー容器（１７）も空にされるようになっているかまたは空の容器と交換されるようになっているように、両残留トナー容器（１４，１７）が形成されている、請求項１１から１８までのいずれか１項記載の転写ステーション。
【請求項２０】
感光性の媒体（５）として、回転させられる感光体ドラムが使用されるようになっており、該感光体ドラムの周速度が、転写時に搬送ベルト（４）の搬送速度と同じである、請求項１１から１９までのいずれか１項記載の転写ステーション。
【手続補正２】
【補正対象書類名】明細書
【補正対象項目名】０００４
【補正方法】変更
【補正の内容】
【０００４】
シート状の記録担体のためのこのような形式の搬送ベルトを有する転写装置では、トナー粒子が中間画像担体から搬送ベルトに転写されることが分かった。搬送ベルトへのこのような形式の望ましくないトナー転写に対する原因は、たとえば、転写したい画像が記録担体の寸法よりも大きい場合の印刷画像はみ出しであり得る。中間画像担体の縁領域または連続する記録担体の間の空所に生ぜしめられる中間スペース（いわゆる「ギャップ」）におけるトナーマークも搬送ベルトへのこのような望ましくないトナー転写を生ぜしめ得る。国際公開第９９／３６８３４号パンフレットに基づき、トナーマークに基づき作業する、現像器ステーションのための調整法が公知である。
【手続補正３】
【補正対象書類名】明細書
【補正対象項目名】０００５
【補正方法】変更
【補正の内容】
【０００５】
搬送ベルトへのトナーの望ましくない転写に対するさらなる原因は、規定されずに帯電させられた、中間画像担体の、着色された画像に位置するトナー粒子（背景）ならびに転写効率ΠＴｒａｎｓｆｅｒに関連して転写されないトナー画像領域である。
【手続補正４】
【補正対象書類名】明細書
【補正対象項目名】０００６
【補正方法】変更
【補正の内容】
【０００６】
特開２００２−１６９３８５号公報に基づき、多数の転写ステーションと、記録担体を搬送するための１つの搬送ベルトとを備えた電子記録式の印刷機器が公知である。特開２０００−１８１３１２号公報および特開平１１２６５０９０号公報に基づき、残留トナーのための容器を備えた電子記録式の印刷機器が公知である。
【手続補正５】
【補正対象書類名】明細書
【補正対象項目名】０００７
【補正方法】変更
【補正の内容】
【０００７】
ヨーロッパ特許出願公開第０３３９６７３号明細書に基づき、電子記録式の印刷機器の転写ステーションを運転するための方法が公知である。この方法では、ペーパが転写ステーションを通走しない場合に、転写電位が転写ステーションの領域で減少させられる。
別の方法および転写ステーションは、特開２００１−３２４８４１号公報およびアメリカ合衆国特許第４９０３０８１号明細書に開示されている。
【手続補正６】
【補正対象書類名】明細書
【補正対象項目名】０００８
【補正方法】変更
【補正の内容】
【０００８】
本発明の課題は、電子記録式の印刷機器のための方法および装置を改良して、シート状の記録担体が搬送ベルトによって感光性の媒体を通過する、トナー画像の転写の目的のための転写ステーションにおける望ましくないトナー転写が回避されるようにすることである。


【国際調査報告】
2006501491.tif 000008
2006501491.tif 000009
2006501491.tif 000010
2006501491.tif 000011
2006501491.tif 000012
2006501491.tif 000013